(57)【要約】【課題】同一の管理ポイントに対してコントローラ側と中央監視装置側とで保持しているポイント名称が異なる場合でも、混乱を回避する。【解決手段】コントローラ１及び中央監視装置２がそれぞれ保持しているポイント名称を記録する情報記録部３１と、中央監視装置２からポイント名称を取得する情報取得部３３と、記録されている中央監視装置２が保持しているポイント名称を、取得されたポイント名称に更新する情報更新部３４と、情報記録部３１に記録されているポイント名称のうち、コントローラ１が保持しているポイント名称を中央監視装置２が保持している対応するポイント名称に置き換えた上で、表示する表示部３５とを備えた。【選択図】図１
2017139564.tif 000002
【特許請求の範囲】
【請求項１】
監視システムを構成する複数の制御デバイス及び当該制御デバイスを管理する監視装置がそれぞれ保持している監視対象のポイント名称を記録する情報記録部と、
前記監視装置から当該監視装置が保持しているポイント名称を取得する情報取得部と、
前記情報記録部に記録されている前記監視装置が保持しているポイント名称を、前記情報取得部により取得されたポイント名称に更新する情報更新部と、
前記情報記録部に記録されているポイント名称のうち、前記制御デバイスが保持しているポイント名称を前記監視装置が保持している対応するポイント名称に置き換えた上で、表示する表示部と
を備えたエンジニアリング作業装置。
【請求項２】
ポイント名称の表示方法として第１の表示方法と第２の表示方法のうちの一方を受付ける表示方法受付部を備え、
前記表示部は、前記表示方法受付部により前記第１の表示方法が受付けられた場合に、前記情報記録部に記録されているポイント名称をそのまま表示し、前記表示方法受付部により前記第２の表示方法が受付けられた場合に、前記情報記録部に記録されているポイント名称のうち、前記制御デバイスが保持しているポイント名称を前記監視装置が保持している対応するポイント名称に置き換えた上で、表示する
ことを特徴とする請求項１記載のエンジニアリング作業装置。
【発明の詳細な説明】
【技術分野】
【０００１】
この発明は、ポイント名称を表示するエンジニアリング作業装置に関するものである。
【背景技術】
【０００２】
従来から、監視システムでは、図６に示すように、ビル又はプラント等の施設内の監視対象である管理ポイントの状態を、複数のコントローラ（制御デバイス）１を介して中央監視装置（監視装置）２で管理している（例えば特許文献１参照）。なお図６の例では、２台のコントローラ１（コントローラ１Ａ，１Ｂ）を設けた場合を示している。
【０００３】
また、コントローラ１は、自身が管理する管理ポイントのポイント名称を保持することができる。図６の例では、コントローラ１Ａは、自身が管理する管理ポイントのポイント名称として「テナントＡ  ファン」、「テナントＡ  室内温度」、「テナントＡ  温度設定」等を保持している。また、コントローラ１Ｂは、自身が管理する管理ポイントのポイント名称として「テナントＢ  ファン」、「テナントＢ  室内温度」、「テナントＢ  温度設定」等を保持している。そして、これらのコントローラ１群が管理するポイント名称は、中央監視装置２により一元的に管理されることになる。
【０００４】
ここで、中央監視装置２が保持しているポイント名称は、通常、中央監視装置２の使用者（例えばビル管理者）の好み等によって変更することが可能である。例えば図７に示すように、中央監視装置２が保持しているポイント名称として、「テナントＡ  ファン」を「テナントＡ  送風機」に変更し、「テナントＢ  ファン」を「テナントＢ  送風機」に変更することができる。この際、中央監視装置２が保持しているポイント名称が変更されるのであって、コントローラ１Ａ及びコントローラ１Ｂが保持しているポイント名称が変更されるわけではない。
【先行技術文献】
【特許文献】
【０００５】
【特許文献１】特開２００２−１９００８０号公報
【特許文献２】特開２０１１−０９７４２８号公報
【発明の概要】
【発明が解決しようとする課題】
【０００６】
一方、中央監視装置２で管理する管理情報（デバイス情報、ポイント名称を含む管理ポイント情報、オブジェクト情報等）を記録したＪＯＢファイルを作成するエンジニアリング作業装置（エンジニアリングツール）１０３が知られている（例えば特許文献２参照）。このエンジニアリング作業装置１０３では、作成したＪＯＢファイルに基づいて、コントローラ１を動作させるための複数の動作ファイルを生成して、該当するコントローラ１にダウンロードしている。
また、エンジニアリング作業装置１０３では、コントローラ１又は中央監視装置２にアクセスすることで、当該コントローラ１又は中央監視装置２が現在保持しているポイント名称を知ることができる。ここで、中央監視装置２の使用者がポイント名称を変更していた場合、例えば図８に示すように、同一の管理ポイントであっても、コントローラ１が保持しているポイント名称と中央監視装置２が保持しているポイント名称とが異なることになる。その結果、エンジニアリング作業装置１０３の使用者の混乱を招く恐れがある。
【０００７】
また、エンジニアリング作業装置１０３の使用者は、大きく２つのタイプに分けることができる。第１のタイプは、コントローラ１にアクセスして当該コントローラ１が現在保持しているポイント名称を取得することをメリットとして捉え、コントローラ１側と中央監視装置２側とでポイント名称が異なる場合があることを受け入れてポイント名称の二重管理を行うタイプである。第２のタイプは、コントローラ１が現在保持しているポイント名称の取得は不要とし、上記二重管理から解放されたいと考えるタイプである。そして、図８のような場合には、第２のタイプの使用者に対し、ポイント名称の二重管理を強いることになる。
【０００８】
この発明は、上記のような課題を解決するためになされたもので、同一の管理ポイントに対して制御デバイス側と監視装置側とで保持しているポイント名称が異なる場合でも、混乱を回避することができるエンジニアリング作業装置を提供することを目的としている。
【課題を解決するための手段】
【０００９】
この発明に係るエンジニアリング作業装置は、監視システムを構成する複数の制御デバイス及び当該制御デバイスを管理する監視装置がそれぞれ保持している監視対象のポイント名称を記録する情報記録部と、監視装置から当該監視装置が保持しているポイント名称を取得する情報取得部と、情報記録部に記録されている監視装置が保持しているポイント名称を、情報取得部により取得されたポイント名称に更新する情報更新部と、情報記録部に記録されているポイント名称のうち、制御デバイスが保持しているポイント名称を監視装置が保持している対応するポイント名称に置き換えた上で、表示する表示部とを備えたものである。
【発明の効果】
【００１０】
この発明によれば、上記のように構成したので、同一の管理ポイントに対して制御デバイス側と監視装置側とで保持しているポイント名称が異なる場合でも、混乱を回避することができる。
【図面の簡単な説明】
【００１１】
【図１】この発明の実施の形態１に係るエンジニアリング作業装置を備えた監視システムの構成例を示す図である。
【図２】この発明の実施の形態１に係るエンジニアリング作業装置を備えた監視システムの構成例を示す図である（コントローラが上位コントローラ及び下位コントローラから成る場合）。
【図３】この発明の実施の形態１に係るエンジニアリング作業装置の構成例を示す図である。
【図４】この発明の実施の形態１に係るエンジニアリング作業装置の動作例を示すフローチャートである。
【図５】この発明の実施の形態１に係るエンジニアリング作業装置の表示部による表示例を示す図である。
【図６】コントローラ及び中央監視装置がそれぞれ保持しているポイント名称の一例を示す図である。
【図７】中央監視装置の使用者によるポイント名称の変更例を示す図である。
【図８】従来のエンジニアリング作業装置による表示例を示す図である。
【発明を実施するための形態】
【００１２】
以下、この発明の実施の形態について図面を参照しながら詳細に説明する。
実施の形態１．
図１はこの発明の実施の形態１に係るエンジニアリング作業装置３を備えた監視システムの構成例を示す図である。
監視システムは、ビル又はプラント等の施設に設けられるものであり、複数のコントローラ（制御デバイス）１、中央監視装置（監視装置）２及びエンジニアリング作業装置（エンジニアリングツール）３を備えている。また、図示はしないが、コントローラ１には複数のフィールド機器が接続されている。そして、フィールド機器には、監視システムの監視対象である管理ポイントが設定されている。
【００１３】
コントローラ１は、中央監視装置２による制御に従い、接続されている複数のフィールド機器の管理ポイントを管理するものである。また、コントローラ１は、自身が管理する管理ポイントのポイント名称を保持している。なお、コントローラ１は、現行システムでは、図２に示すように、中央監視装置２により管理される上位コントローラ１１と、上位コントローラ１１に接続され、当該上位コントローラ１１により制御される複数の下位コントローラ１２とから構成される。この図２に示す構成の場合には、下位コントローラ１２がポイント名称を保持している。なお図１では２台のコントローラ１（コントローラ１Ａ，１Ｂ）を設けた場合を示しているが、３台以上設けてもよい。
【００１４】
中央監視装置２は、接続されている複数のコントローラ１を管理するものである。この中央監視装置２は、通常、施設の管理者が滞在する中央監視室に設けられている。この中央監視装置２は、各コントローラ１が管理する管理ポイントのポイント名称を一元的に保持している。また、この中央監視装置２では、当該中央監視装置２の使用者（施設の管理者等）により、当該中央監視装置２が保持しているポイント名称を変更可能としている。
【００１５】
エンジニアリング作業装置３は、中央監視装置２で管理を行う管理情報（デバイス情報、ポイント名称を含む管理ポイント情報、オブジェクト情報等）を記録したＪＯＢファイルを作成するものである。そして、エンジニアリング作業装置３は、作成したＪＯＢファイルに基づいて、コントローラ１を動作させるための動作ファイルを生成して、該当するコントローラ１にダウンロードする。なお、コントローラ１が図２に示すように上位コントローラ１１及び下位コントローラ１２から構成される場合には、エンジニアリング作業装置３は、上位コントローラ１１及び下位コントローラ１２に対して動作ファイルを生成する。
また、エンジニアリング作業装置３は、コントローラ１又は中央監視装置２にアクセスすることで、当該コントローラ１又は中央監視装置２が現在保持しているポイント名称を取得することができる。以下、エンジニアリング作業装置３のエンジニアリング作業において、ポイント名称を含む各種画面（ポイント設定画面及び帳票等）を表示する際の表示方法について説明する。
【００１６】
図３はこの発明の実施の形態１に係るエンジニアリング作業装置３の構成例を示す図である。なお図３では、エンジニアリング作業装置３が有する構成のうち、ポイント名称の表示に関連する構成のみを示している。
エンジニアリング作業装置３は、図３に示すように、情報記録部３１、表示方法受付部３２、情報取得部３３、情報更新部３４及び表示部３５を備えている。
【００１７】
情報記録部３１は、コントローラ１及び中央監視装置２がそれぞれ保持しているポイント名称を記録するものである。なお、情報記録部３１は、通常は、ポイント名称を含む管理情報をまとめて記録している。また、情報記録部３１に記録されている中央監視装置２が保持しているポイント名称は、情報更新部３４によって更新される。
【００１８】
表示方法受付部３２は、エンジニアリング作業装置３の使用者により選択されたポイント名称の表示方法を受付けるものである。ここで、ポイント名称の表示方法としては、情報記録部３１に記録されているポイント名称をそのまま表示する第１の表示方法と、コントローラ１が保持しているポイント名称を中央監視装置２が保持しているポイント名称に置き換えて表示する第２の表示方法とがある。なお、第１の表示方法は、従来構成の表示方法と同一である。また、エンジニアリング作業装置３の使用者は、任意のタイミングでポイント名称の表示方法を切替えることが可能である。
【００１９】
情報取得部３３は、中央監視装置２から当該中央監視装置２が保持している現在のポイント名称を取得するものである。ここで、情報取得部３３は、通常、エンジニアリング作業装置３の使用者による任意のタイミングでの要求に応じて、中央監視装置２から、現在のポイント名称を含む管理情報を一括で取得する。
【００２０】
情報更新部３４は、情報記録部３１に記録されている中央監視装置２が保持しているポイント名称を、情報取得部３３により取得されたポイント名称に更新するものである。
【００２１】
表示部３５は、表示方法受付部３２による受付け結果に応じて、情報記録部３１に記録されているポイント名称を用いて、ディスプレイ等の画面インタフェースへポイント名称を表示するものである。ここで、表示部３５は、表示方法受付部３２により第１の表示方法が受付けられた場合には、情報記録部３１に記録されているポイント名称をそのまま表示する。一方、表示部３５は、表示方法受付部３２により第２の表示方法が受付けられた場合には、情報記録部３１に記録されているポイント名称のうち、コントローラ１が保持しているポイント名称を中央監視装置２が保持している対応するポイント名称に置き換えた上で、表示する。このようにして、表示部３５は、ポイント名称を含む各種画面（ポイント設定画面及び帳票等）を表示する。
【００２２】
次に、上記のように構成されたエンジニアリング作業装置３による、ポイント名称の表示動作例について説明する。
本発明では、エンジニアリング作業装置３の画面インタフェースにポイント名称を表示する際の表示方法を選択可能としている。これにより、上述した第１のタイプの使用者と第２のタイプの使用者の双方の要求に対応させる。なお、従来構成であっても第１のタイプの使用者の要求を満たすことはできるため、その詳細説明については省略する。
【００２３】
エンジニアリング作業装置３では、情報記録部３１が、コントローラ１及び中央監視装置２がそれぞれ保持しているポイント名称を記録している。この情報記録部３１は、初期状態では、図６に示すようなコントローラ１及び中央監視装置２の初期設定のポイント名称を記録している。
また以下では、表示方法受付部３２では、エンジニアリング作業装置３の使用者から第２の表示方法（コントローラ１が保持しているポイント名称を中央監視装置２が保持しているポイント名称に置き換えて表示する表示方法）を受付けているものとする。なおこの際、使用者は、例えば画面インタフェースに表示される画面のメニューバー又はオプション設定等で表示方法を選択可能である。
【００２４】
そして、エンジニアリング作業装置３では、図４に示すように、まず、情報取得部３３は、中央監視装置２から当該中央監視装置２が保持している現在のポイント名称を取得する（ステップＳＴ１）。ここで、情報取得部３３は、通常、エンジニアリング作業装置３の使用者による任意のタイミングでの要求に応じて、中央監視装置２から、現在のポイント名称を含む管理情報を一括で取得する。
【００２５】
次いで、情報更新部３４は、情報記録部３１に記録されている中央監視装置２が保持しているポイント名称を、情報取得部３３により取得されたポイント名称に更新する（ステップＳＴ２）。ここで、情報取得部３３が、中央監視装置２が現在保持しているポイント名称として例えば図７に示すようなポイント名称を取得した場合には、情報記録部３１に記録されている中央監視装置２が保持しているポイント名称のうち、「テナントＡ  ファン」を「テナントＡ  送風機」に更新し、「テナントＢ  ファン」を「テナントＢ  送風機」に更新する。
【００２６】
次いで、表示部３５は、表示方法受付部３２による受付け結果に応じて、情報記録部３１に記録されているポイント名称を用いて、画面インタフェースへポイント名称を表示する（ステップＳＴ３）。ここでは、表示部３５は、第２の表示方法でポイント名称を表示する。すなわち、表示部３５は、情報記録部３１に記録されているポイント名称のうち、コントローラ１が保持しているポイント名称を中央監視装置２が保持している対応するポイント名称に置き換えた上で、表示する。図７の例では、表示部３５は、情報記録部３１に記録されているコントローラ１Ａが保持している「テナントＡ  ファン」を中央監視装置２が保持している「テナントＡ  送風機」に置き換え、コントローラ１Ｂが保持している「テナントＢ  ファン」を中央監視装置２が保持している「テナントＢ  送風機」に置き換えた上で、ポイント名称を表示する（図５）。このようにして、表示部３５は、ポイント名称を含む各種画面（ポイント設定画面及び帳票等）を表示する。
【００２７】
このように、本発明では、ポイント名称の表示方法を切替え可能とし、第２の表示方法では、コントローラ１が保持しているポイント名称を中央監視装置２が保持しているポイント名称に置き換えた上で、ポイント名称を表示している。これにより、本来同一である管理ポイントに対して、図８に示すようにコントローラ１側と中央監視装置２側とで異なるポイント名称が表示されることがなくなり、エンジニアリング作業装置３の使用者が混乱することを防止できる。
【００２８】
なお上記では、ポイント名称の表示方法を任意のタイミングで切替え可能とした場合を示した。一方、エンジニアリング作業装置３の使用者は、自身のタイプ（上述した第１のタイプ又は第２のタイプ）に応じて表示方法を選択した後は、表示方法を切替えることをない場合が多いものと想定される。よって、表示方法の切替え機能は必須の構成ではない。
【００２９】
以上のように、この実施の形態１によれば、コントローラ１及び中央監視装置２がそれぞれ保持しているポイント名称を記録する情報記録部３１と、中央監視装置２から当該中央監視装置２が保持しているポイント名称を取得する情報取得部３３と、情報記録部３１に記録されている中央監視装置２が保持しているポイント名称を、情報取得部３３により取得されたポイント名称に更新する情報更新部３４と、情報記録部３１に記録されているポイント名称のうち、コントローラ１が保持しているポイント名称を中央監視装置２が保持している対応するポイント名称に置き換えた上で、表示する表示部３５とを備えたので、同一の管理ポイントに対してコントローラ１側と中央監視装置２側とで保持しているポイント名称が異なる場合でも、混乱を回避することができる。
【００３０】
なお、本願発明はその発明の範囲内において、実施の形態の任意の構成要素の変形、もしくは実施の形態の任意の構成要素の省略が可能である。
【符号の説明】
【００３１】
１  コントローラ（制御デバイス）
２  中央監視装置（監視装置）
３  エンジニアリング作業装置
１１  上位コントローラ
１２  下位コントローラ
３１  情報記録部
３２  表示方法受付部
３３  情報取得部
３４  情報更新部
３５  表示部
【図１】
2017139564.tif 000003
【図２】
2017139564.tif 000004
【図３】
2017139564.tif 000005
【図４】
2017139564.tif 000006
【図５】
2017139564.tif 000007
【図６】
2017139564.tif 000008
【図７】
2017139564.tif 000009
【図８】
2017139564.tif 000010